(57)【要約】【課題】てんつり型室内機と床埋型室内機など複数形態の室内機に対応できる空気調和機の室内機を得る。【解決手段】  空気調和機の室内機は、キャビネットと、このキャビネット内に設けられた送風機部及び熱交換器部を備える。また、前記キャビネットの上部及び下部のそれぞれに設けられ、前記送風機部に空気を送るための吸込口と、前記送風機部を前記キャビネット内に下向きに設置するための取り付け部と、前記送風機部を前記キャビネット内に上向きに設置するための取り付け部とを備えている。【選択図】図２
2017053559.tif 000002
【特許請求の範囲】
【請求項１】
キャビネットと、このキャビネット内に設けられた送風機部及び熱交換器部を備える空気調和機の室内機であって、
前記キャビネットの上部及び下部のそれぞれに設けられ、前記送風機部に空気を送るための吸込口と、
前記送風機部を前記キャビネット内に下向きに設置するための取り付け部と、前記送風機部を前記キャビネット内に上向きに設置するための取り付け部とを備えている
ことを特徴とする空気調和機の室内機。
【請求項２】
請求項１に記載の空気調和機の室内機において、前記キャビネットの上部及び下部のそれぞれに設けられ吸込口のうち、室内機の形態に応じて使用されない側の吸込口を、塞ぎ板で塞いでいることを特徴とする空気調和機の室内機。
【請求項３】
請求項１に記載の空気調和機の室内機において、前記キャビネット内に前記送風機部を制御する電気品箱を備え、この電気品箱を取り付ける電気品箱固定部が前記キャビネット内の下部と上部にそれぞれ設けられていることを特徴とする空気調和機の室内機。
【請求項４】
請求項３に記載の空気調和機の室内機において、前記キャビネット内の下部の電気品箱固定部は、キャビネット内の下部に設けられている前記吸込口に近接して設けられ、前記キャビネット内の上部の電気品箱固定部は、キャビネット内の上部に設けられている前記吸込口に近接して設けられていることを特徴とする空気調和機の室内機。
【請求項５】
請求項１に記載の空気調和機の室内機において、前記熱交換器部は前記キャビネットに対して、その取り付け位置を上下方向に変更できるように構成されていることを特徴とする空気調和機の室内機。
【請求項６】
請求項５に記載の空気調和機の室内機において、前記熱交換器部の下部には前記熱交換器部で結露した結露水を捕集するドレンパンが設けられ、このドレンパンの取り付け位置も上下方向に変更できるように構成されていることを特徴とする空気調和機の室内機。
【請求項７】
請求項１に記載の空気調和機の室内機において、前記上部及び下部の吸込口にはそれぞれエアーフィルターを取り付けるための取り付け部が設けられていることを特徴とする空気調和機の室内機。
【請求項８】
請求項１に記載の空気調和機の室内機において、前記キャビネットの両側面に、前記送風機部から吐出された空気を吹き出すための吹出口が設けられていることを特徴とする空気調和機の室内機。
【請求項９】
請求項８に記載の空気調和機の室内機において、前記キャビネットの上部または下部に設けられている前記吸込口における前記吹出口の側に、上方または下方に吹き出す吹出口を更に備え、横吹出し、上吹出し、下吹出しの何れの形態でも使用可能に構成されていることを特徴とする空気調和機の室内機。
【請求項１０】
請求項９に記載の空気調和機の室内機において、吹出口として使用しない吹出口を塞ぎ板で塞いでいることを特徴とする空気調和機の室内機。
【発明の詳細な説明】
【技術分野】
【０００１】
本発明は、空気調和機の室内機に係り、特にてんつり型室内機や床埋型室内機など複数の使用形態に対応可能な室内機に関する。
【背景技術】
【０００２】
複数の使用形態に対応可能な室内機の従来技術としては、特開２０１１−１０２６５５号公報（特許文献１）に記載のものなどがある。この特許文献１のものには、電装品箱を送風機室の角隅に取り付けた場合であっても、縦置き、横置きを自在に選択することが可能なダクト型空気調和機について記載されている。
【先行技術文献】
【特許文献】
【０００３】
【特許文献１】特開２０１１−１０２６５５号公報
【発明の概要】
【発明が解決しようとする課題】
【０００４】
上記特許文献１のものにおいては、縦置き、横置きを自在に選択可能なダクト型空気調和機について記載されているが、空気調和機の室内機においては、てんつり型や床埋型などがあり、これらの室内機においては、それぞれ形態に応じて、個別に開発して設計する必要があり、開発時間や開発コストなどに多くの労力を費やす必要があった。
【０００５】
本発明の目的は、てんつり型室内機と床埋型室内機など複数形態の室内機に対応できる空気調和機の室内機を得ることにある。
【課題を解決するための手段】
【０００６】
上記目的を達成するため、本発明は、キャビネットと、このキャビネット内に設けられた送風機部及び熱交換器部を備える空気調和機の室内機であって、前記キャビネットの上部及び下部のそれぞれに設けられ、前記送風機部に空気を送るための吸込口と、前記送風機部を前記キャビネット内に下向きに設置するための取り付け部と、前記送風機部を前記キャビネット内に上向きに設置するための取り付け部とを備えていることを特徴とする。
【発明の効果】
【０００７】
本発明によれば、てんつり型室内機と床埋型室内機など複数形態の室内機に対応できる空気調和機の室内機を得ることができる効果が得られる。
【図面の簡単な説明】
【０００８】
【図１】本発明の空気調和機の室内機の実施例１を説明する図で、本発明を適用した室内機を空調対象となる部屋に設置した例を示す概略図である。
【図２】図１に示すてんつり型室内機の構成を説明する概略側面図で、側面カバーを除去して内部構成が見えるようにした図である。
【図３】図２に示すてんつり型室内機の斜視図である。
【図４】図２、図３に示す送風機部の拡大斜視図である。
【図５】図２に示す熱交換器のキャビネットへの取り付け構造を示す側面図である。
【図６】図５のＡ部を拡大して示す要部拡大図である。
【図７】図１に示す床埋型室内機の構成を説明する概略側面図で、側面カバーを除去して内部構成が見えるようにした図である。
【図８】図７に示す床埋型室内機の変形例を示す図で、図７に相当する図である。
【図９】図７に示す床埋型室内機の平面図である。
【発明を実施するための形態】
【０００９】
以下、本発明の空気調和機の室内機の具体的実施例を、図面を用いて説明する。各図において、同一符号を付した部分は同一或いは相当する部分を示している。
【実施例１】
【００１０】
本発明の空気調和機の室内機の実施例１を図１〜図９を用いて説明する。本実施例１では、てんつり型室内機と床埋型室内機の２つ室内機の形態に対応することのできる空気調和機の室内機の例について説明する。
【００１１】
まず、本発明を適用した室内機を空調対象となる部屋に設置した例を図１に示す概略図により説明する。  
図１において、１は空調対象となる部屋（室内空間）、２は部屋１の天井で、この天井２にはてんつり型室内機３が吊りボルト４により取り付けられている。５は部屋１の床で、この床５の下部には床下空間５ａが設けられており、この床下空間５ａには床埋型室内機６が前記床下空間５ａを形成している床下構造物５ｂに、アンカーボルト７により取り付けられている。なお、この例では、本実施例の説明を容易にするために、同一の部屋に、前記てんつり型室内機３と前記床埋型室内機６を設置している例を示しているが、これらは通常、別の部屋や別の建屋に設置される。
【００１２】
前記てんつり型室内機３と前記床埋型室内機６は、筐体、送風機部、熱交換器、電気品箱など、室内機を構成するほとんどの部品が共通の部品（同一構造の部品）を使用して構成されている。即ち、てんつり型室内機３と床埋型室内機６の２つの形態の室内機に対応できるように、室内機を構成する部品のほとんどを、てんつり型と床埋型で共用して（共通の部品を使用して）組み立て可能に構成されている。
【００１３】
図２は、図１に示すてんつり型室内機の構成を説明する概略側面図で、側面カバーを除去して内部構成が見えるようにした図である。  
図２に示すてんつり型室内機３において、８はキャビネット（筐体）１１の下面に設けられ、後述する送風機部に室内空間１の空気を送るための吸込口（図９参照）で、この吸込口８にはエアーフィルター９が設置されている。１０は前記キャビネット１１内の前面側と後面側に対向するように設けられている熱交換器部で、この前後の熱交換器部１０の間には、ほぼその中央部に、送風機１２と、この送風機１２を駆動する電動機１３と、この電動機１３の取り付け部となる電動機ベース１３ａと、この電動機ベース１３ａを取り付けるための送風機フレーム１４を有する送風機部１５が設けられている。前記送風機部１５は電動機クランプ１６を介して、前記キャビネット１１の上部に設けられた取り付け部に下向きに設置されている。
【００１４】
１７は冷房運転時に前記熱交換器部１０で結露する結露水（ドレン）を受けて捕集するためのドレンパンで、このドレンパン１７は熱交換器部１０の下方に設置され、ドレンを捕集する部分が断面コの字形状となっており、全体として一体型のものが使用されている。なお、前記ドレンパン１７は、熱交換器部１０とキャビネット１１にねじ止めできる構造を採用しており、キャビネット１１に対する取付け高さ位置を、てんつり型室内機３や床埋型室内機６などの室内機の形態に併せて、自由に調整可能に構成されている。
【００１５】
１８は前記ドレンパン１７の下部と前記エアーフィルター９との間、即ち前記キャビネット１１内の下方に配置されて、前記キャビネット１１に取り付けられている電気品箱である。この電気品箱１８には前記送風機１２を制御するための電気部品などが設けられており、前記キャビネット１１下部に設けられている電気品箱固定部にねじ止めされて固定されており、容易に取り付け可能な構成となっている。従って、前記電気品箱１８のメンテナンスは、前記エアーフィルター９を取り外すことにより容易に行うことができる。
【００１６】
１０ａは前記熱交換器１０の下部に設けられ、熱交換器１０で結露した結露水などを受ける露受け、１９は前記送風機１２のベルマウス部１２ａと前記露受け１０ａに接続され、前記送風機１２の吸込側と吐出側とを仕切る仕切り板である。また、２０は前記ドレンパン１７の内側に設置されているドレンポンプで、このドレンポンプ２０により前記ドレンパン１８に溜まった結露水（ドレン）などを室内機外にスムーズに排出できるようになっている。２１はこのドレンポンプ２０から排出されたドレンを室内機外に排出するための排水口で、この排水口２１は前記キャビネット１１の上方に設けられており、この構成により、他の形式の室内機（床埋型室内機）との排水口の共用化を可能としている。
【００１７】
２２は前記キャビネット１１の前面と後面にそれぞれ設けられた吹出口である。なお、２４は室内機３を天井２に吊るための吊りボルト４を連結するブラケットである。
【００１８】
このように構成されているてんつり型室内機３の空気の流れを説明する。前記送風機１２が回転すると、キャビネット１１の下部に設けられた吸込口８から室内空間（部屋）１（図１参照）の空気は矢印２５で示すように吸い込まれ、この吸い込まれた空気はエアーフィルター９を通過後、キャビネット（筐体）１１のほぼ中央に配置された前記送風機１２によって昇圧され、前記熱交換器１０側に吹き出されて、該熱交換器１０を通過し、前記吹出口２２から矢印２６で示すように前記室内空間１に吹き出される。
【００１９】
図３は図２に示すてんつり型室内機の斜視図であり、側面カバーや吹出口２２のガードを取り外して、内部構成がわかるように図示している。また、図２に同一符号を付した部分は図２と同一部分であるので、詳細な説明は省略する。なお、図３に示す１５が図２で説明した送風機部で、この送風機部１５の構成を、図４を用いて詳細に説明する。
【００２０】
図４は図２、図３に示す送風機部の拡大斜視図である。この図に示すように、送風機部１５は、送風機１２と、この送風機１２に直結されて該送風機１２を駆動する電動機１３と、この電動機１３を送風機フレーム１４に取り付けるための電動機ベース１３ａなどから構成されている。前記電動機ベース１３ａを取り付けるための前記送風機フレーム１４は、この図４に示すように、略直方体形状のキャビネット形状となっており、前記電動機ベース１３ａを固定する横フレーム１４ａ、縦フレーム１４ｂ及び送風機１２の吸込側となる横フレーム１４ｃにより構成されている。
【００２１】
なお、１４ｄは、前記横フレーム１４ａに形成されているボルト穴で、このボルト穴１４ｄを介して前記電動機クランプ１６と連結され、前記送風機部１５は前記電動機クランプ１６を介して前記キャビネット１１を構成するフレームに取り付けられている。また、１２ａは前記送風機１２に吸い込まれる空気を案内するベルマウスで、このベルマウス１２ａに、図２に示す仕切り板１９が取り付けられる。
【００２２】
図５は図２に示す前記熱交換器部１０の前記キャビネット１１への取り付け構造を示す側面図、図６は図５のＡ部を拡大して示す要部拡大図である。これらの図を用いて、前記熱交換器部１０の前記キャビネット１１への取り付け構造を説明する。熱交換器部１０にはその下部に前記露受け１０ａが取り付けられ、上部には上カバー１０ｂが取り付けられている。
【００２３】
一方、前記キャビネット１１のフレーム１１ａには、前記熱交換器部１０を取り付けるための固定板２７が、図５に示すように、前記熱交換器部１０の高さ寸法に応じて上下にねじ止めされて固定されている。この固定板２７に図５及び図６に示すように、ねじ２８により、下の固定板２７には前記露受け１０ａが取り付けられ、上の固定板２７には前記上カバー１０ｂが取り付けられることにより、前記熱交換器部１０はフレーム１１ａに取り付け固定される。なお、図５では、熱交換器部１０の手前側のみ示しているが、熱交換器１０の奥側も同様の取り付け構造でフレーム１１ａに取り付けられている。
【００２４】
また、前記熱交換器部１０の取り付け位置を、室内機の形態に応じて変更できるように、前記フレーム１１ａには上下方向に複数のねじ穴（図示せず）が設けられている。図２に示すてんつり型室内機３の場合、熱交換器部１０はキャビネット１１内の上部に設置されるので、図５、図６に示す固定板２７は、取り付けられる前記熱交換器部１０の取り付け位置に応じて、そのフレーム１１ａへの取り付け位置を変更できるようになっている。なお、後述する床埋型室内機６の場合には、図７に示すように、熱交換器部１０は、てんつり型室内機３の場合よりもキャビネット１１内の下部に設置されるので、図５、図６に示す固定板２７の取り付け位置は、前記フレーム１１ａに対してより下方に変更される。
【００２５】
図５、図６では熱交換器部１０の取り付け構造について説明したが、前記ドレンパン１７や前記ドレンポンプ２０、更に前記吊りボルト４に連結されるブラケット２４についての取り付け構造も上述した熱交換器部１０の取り付け構造と同様の構成となっている。即ち、てんつり型室内機３や床埋型室内機６など、室内機の形態に応じて、前記ドレンパン１７、前記ドレンポンプ２０、前記ブラケット２４の前記キャビネット１１への取り付け位置も上下方向に変更可能な構成となっている。
【００２６】
なお、本実施例の室内機は、前記キャビネット１１の下部にのみ前記吸込口８（下部吸込口８ａ）が形成されているのではなく、前記キャビネット１１の上部にも吸込口８（上部吸込口８ｂ（図７参照））が形成されている。室内機の形態が図２、図３に示すように、てんつり型室内機３である場合には、前記キャビネットの上部吸込口８ｂは、図３に示すように、キャビネット１１の上面全体を覆う吸込口のないカバー部材状の塞ぎ板３３を取り付けるか、或いは前記上部吸込口８ｂの部分のみを塞ぐ塞ぎ板を用いて、前記上部吸込口８ｂを塞いでいる。
【００２７】
また、室内機の形態が後述する床埋型室内機６として使用される場合には、前記上部吸込口８ｂが使用されるので、この上部吸込口８ｂの位置に対応して前記エアーフィルター９を設置できるように、キャビネット１１の上部にも前記エアーフィルター９の取り付け部が設けられている。同様に、前記電気品箱１８についてもキャビネット１１内の上部に設置できるように、キャビネット１１の上部にも前記電気品箱固定部が設けられている。更に、床埋型室内機６として使用される場合には、前記送風機部１５がてんつり型室内機３の場合とは反転して上向きに設置されるので、前記キャビネット１１の下部にも前記送風機部１５を、前記電動機クランプ１６を介して上向きに設置するための取り付け部が設けられている。
【００２８】
上記のように空気調和機の室内機を構成することにより、てんつり型室内機３としてだけでなく、床埋型室内機６としても、ほとんどの部品を共用化して製作することが可能となる。
【００２９】
次に、空気調和機の室内機を、図２〜図６で説明したてんつり型室内機３と、ほとんど同一の部品を用いて、図１に示す床埋型室内機６を構成する場合の例を図７により説明する。図７は図１に示す床埋型室内機６の構成を説明する概略側面図で、側面カバーを除去して内部構成が見えるようにした図である。図７において、図２〜図６と同一符号を付した部分は同一或いは相当する部分であり、図２〜図６と異なる構成の部分を中心に説明する。
【００３０】
図７に示す床埋型室内機６において、前述したてんつり型室内機３との大きな違いは、吸込口８が上方にあることである。従って、キャビネット１１に設けた上部吸込口８ｂから室内空間１（図１参照）の空気を吸い込み、キャビネット１１の前面及び後面の吹出口２２から熱交換器部１０を通過した空気を吹き出すように構成する。なお、キャビネット１１下部に設けられている下部吸込口８ａ（図２参照）は使用されないので、キャビネット１１の下面全体を覆う吸込口のないカバー部材状の塞ぎ板を取り付けるか、或いは前記下部吸込口８ａの部分のみを塞ぐ塞ぎ板を用いて、前記下部吸込口８ａを塞いでいる。なお、床埋型室内機６として用いる場合、前記下部吸込口８ａを前記床下構造物５ｂ（図1参照）自体で塞ぐことができれば、前記下部吸込口８ａを塞ぐ塞ぎ板を用いなくても良い。
【００３１】
このように、吸込口８が筐体上部の上部吸込口８ｂとなるため、前記上部吸込口８ｂの直近に配置するエアーフィルター９も、前記キャビネット１１の上部に設けられたエアーフィルター９の取り付け部に取り付けられている。
【００３２】
また、送風機１２、電動機１３、電動機ベース１３ａ、送風機フレーム１４から構成される送風機部１５は、てんつり型室内機３の場合に対し上下反転させ、電動機クランプ１６を介して、キャビネット１１下部のフレームに設けた電動機クランプ１６の取り付け部に固定されている。
【００３３】
ドレンパン１７は前記キャビネット１１内の最下部に配置し、このドレンパン１９が最下部に配置されることに伴い、熱交換器部１０とドレンポンプ２０も、前述したてんつり型室内機３の場合よりも、若干キャビネット１１の下方に配置される。また、キャビネット１１の外側下部に設けられているブラケット２４も床下構造物５ｂ（図１参照）に固定するために、図７に示すようにキャビネット１１外側の最下部に取り付けられている。
【００３４】
上記熱交換器部１０、ドレンパン１７、ドレンポンプ２０、ブラケット２４のキャビネット１１への取り付けは、図５、図６で説明したように、キャビネット１１のフレーム１１ａへの取り付け位置を上下方向に変更可能な構成により、室内機の形態に応じてその取り付け位置が決められる。
【００３５】
電気品箱１８についても、前述キャビネット１１内の上部に設けられている電気品箱固定部にねじ止めされて固定されており、キャビネット１１上部に容易に取り付け可能な構成となっている。図７の例では、前記電気品箱１８はエアーフィルター９下部と熱交換器部１０上部の間に設置され、前記エアーフィルター９を取り外すことにより前記電気品箱１８のメンテナンスを容易に行うことができるように構成されている。
【００３６】
なお、図７に示す床埋型室内機６に示す仕切り板１９ａは、図２に示すてんつり型室内機３における前記仕切り板１９とは形状が若干異なっている。即ち、図７に示す前記仕切り板１９ａは、送風機１２のベルマウス部１２ａと、熱交換器部１０の上カバー１０ｂに接続されて、送風機１２の吸込側と吐出側を仕切っているが、前記ベルマウス部１２ａと前記上カバー１０ｂとの距離が、図２に示すてんつり型室内機３の場合と比べ、長くなるので、仕切り板１９ａの幅もてんつり型室内機３の場合に比べて大きなものを使用している。  
他の構成は、図２〜図６に示すてんつり型室内機３の場合と同様である。
【００３７】
このように構成されている床埋型室内機６の空気の流れを説明する。前記送風機１２が回転すると、キャビネット１１の上部に設けられた吸込口８（上部吸込口８ｂ）から室内空間（部屋）１（図１参照）の空気は矢印２９で示すように吸い込まれ、この吸い込まれた空気はエアーフィルター９を通過後、キャビネット（筐体）１１のほぼ中央に配置された前記送風機１２によって昇圧され、前記熱交換器１０側に吹き出されて、該熱交換器１０を通過し、前記吹出口２２から矢印３０で示すように前記室内空間１に吹き出される。
【００３８】
前記ドレンパン１８に溜まった結露水（ドレン）などは、前記ドレンパン１７の内側に設置されている前記ドレンポンプ２０により、前記キャビネット１１の上方に設けられている排水口２１から室内機外にスムーズに排出できるようになっている。
【００３９】
以上の構成により、１種類の共通のキャビネット１１を使用し、ほとんどの部品を共用化して、複数の形態の室内機を得ることができ、図２に示すようなてんつり型室内機３に対して、外観及び外形寸法がほとんど同様の床埋型室内機６を製作することができる。
【００４０】
従って、複数の形態の室内機に対する開発時間や開発コストを低減することが可能となる。
【００４１】
このように、本実施例の空気調和機の室内機によれば、図２〜図６に示すてんつり型室内機３としてだけでなく、図７に示す床埋型室内機６としても、ほとんどの部品を共用化して製作することが可能となる。従って、てんつり型室内機と床埋型室内機など複数形態の室内機に対応できる空気調和機の室内機を得ることができる。
【００４２】
次に、図８及び図９を用いて、本実施例の空気調和機の室外機の変形例を説明する。図８は図７に示す床埋型室内機の変形例を示す図で、図７に相当する図、図９は図８に示す床埋型室内機の平面図である。図８及び図９において、図２〜図７と同一符号を付した部分は同一或いは相当する部分を示しており、図８及び図９に示す図７の変形例では、図７に示す床埋型室内機６と異なる部分を中心に説明する。
【００４３】
図７で説明した床埋型室内機６は、吹出口２２が前面と後面に設けられ、水平方向に吹き出す横吹出しタイプの床埋型室内機６であるが、図８、図９に示す床埋型室内機６´は、図９に示すように、吹出口２２ａがキャビネット１１上面の前側と後側で且つキャビネット１１の長手方向に形成されている上吹出しタイプに構成したものである。即ち、前記キャビネット１１上面に設けられている吸込口８と同じ面であって、前記キャビネット１１の外側に前記吹出口２２ａを設けているものである。  
このように構成することにより、上吹出しタイプの床埋型室内機６´を得ることができる。
【００４４】
なお、図８、図９に示す上吹出しタイプの床埋型室内機６´とした場合、キャビネット１１の前面及び後面に設けられている吹出口２２（図７参照）から熱交換器部１０を通過した空気が吹き出されないように、前記吹出口２２を塞ぐ塞ぎ板３１（図８参照）が取り付けられている。他の構成は図７に示すものと同様である。
【００４５】
この上吹出しタイプの床埋型室内機６´における空気の流れを説明する。送風機１２が回転すると、キャビネット１１の上部に設けられた吸込口８（上部吸込口８ｂ）から室内空間１（図１参照）の空気は矢印２９で示すように吸い込まれ、この吸い込まれた空気はエアーフィルター９を通過後、前記送風機１２によって昇圧され、前記熱交換器１０側に吹き出されて、該熱交換器部１０を通過した後、前記熱交換器部１０と前記塞ぎ板３１との間の空間を上昇して前記吹出口２２ａから矢印３２で示すように前記室内空間１に吹き出される。
【００４６】
以上説明した上吹出しタイプの床埋型室内機６´としたことにより、図７に示す場合のように、吹出口２２から吹き出された空気を室内空間１に導くためのダクトが不要となり、前記吹出口２２ａから吹き出された空気を、直接、室内空間１に吹き出すことが可能となる。このように、本実施例は、上吹出しタイプの床埋型室内機に対しても、横吹出しタイプの床埋型室内機やてんつり型室内機と、ほとんどの部品を共用化して製作することができる。
【００４７】
なお、図８、図９に示した例を図２に示すようなてんつり型室内機３に応用することも可能であり、この場合には下吹出しタイプのてんつり型室内機とすることができる。  
即ち、前記キャビネット１１の上部または下部に設けられている前記吸込口における前記吹出口２２の側に、上方または下方に吹き出す吹出口２２ａを更に備える構成とすることにより、横吹出し、上吹出し、下吹出しの何れの形態でも使用可能に構成することができる。そして、吹出口として使用しない吹出口を塞ぎ板３１で塞ぐようにすると良い。
【００４８】
以上説明した本実施例によれば、てんつり型室内機と床埋型室内機など複数形態の室内機に対応できる空気調和機の室内機を得ることができる効果が得られる。従って、従来の空気調和機の室内機の開発においては、てんつり型や床埋型の室内機をそれぞれ個別に開発していたが、上述した本実施例をすることにより、開発時間や開発コストを大幅に低減することが可能となる。
【００４９】
なお、本発明は上述した実施例に限定されるものではなく、様々な変形例が含まれる。また、上記した実施例は本発明を分かりやすく説明するために詳細に説明したものであり、必ずしも説明した全ての構成を備えるものに限定されるものではない。
【符号の説明】
【００５０】
１：部屋（室内空間）、２：天井、３：てんつり型室内機、
４：吊りボルト、５：床、５ａ：床下空間、６，６´：床埋型室内機、
７：アンカーボルト、８：吸込口、９：エアーフィルター、
１０：熱交換器部、１０ａ：露受け、１０ｂ：上カバー、
１１：キャビネット、１１ａ：フレーム、
１２：送風機、１２ａ：ベルマウス部、
１３：電動機、１３ａ：電動機ベース、
１４：送風機フレーム、１４ａ，１４ｃ：横フレーム、
１４ｂ：縦フレーム、１４ｄ：ボルト穴、
１５：送風機部、１６：電動機クランプ、
１７：ドレンパン、１８：電気品箱、１９：仕切り板、
２０：ドレンポンプ、２１：排水口、２２，２２ａ：吹出口、
２４：ブラケット、２５，２６，２９，３０，３２：矢印（空気の流れ）、
２７：固定板、２８：ねじ、３１，３３：塞ぎ板。
【図１】
2017053559.tif 000003
【図２】
2017053559.tif 000004
【図３】
2017053559.tif 000005
【図４】
2017053559.tif 000006
【図５】
2017053559.tif 000007
【図６】
2017053559.tif 000008
【図７】
2017053559.tif 000009
【図８】
2017053559.tif 000010
【図９】
2017053559.tif 000011